(57)【特許請求の範囲】
【請求項１】
外部から供給される供給水を原水として用いてオゾン水を生成し、生成したオゾン水を用いて、消毒槽内において消毒対象物の消毒処理を行うオゾン水消毒機であって、
前記オゾン水のオゾン濃度を、０．３ｐｐｍから５ｐｐｍまでの範囲内の値に制御可能な濃度制御部と、
前記オゾン水の温度を制御可能な温度制御部と、
オゾンガスを生成するオゾンガス生成部と、
前記消毒槽に供給されるオゾン水を生成して貯留するオゾン水生成貯留部と、
を有しており、
前記濃度制御部は、前記オゾンガス生成部から、前記オゾン水生成貯留部および前記消毒槽に供給されるオゾンガスの供給量を制御し、
前記オゾン水生成貯留部に対して、外部から原水を供給する第１原水供給系と、
前記オゾン水生成貯留部に対して、貯水タンクに貯留されている所定温度に制御された原水を供給する第２原水供給系と、
を有しており、
前記温度制御部は、前記第１、前記第２原水供給系のそれぞれから前記オゾン水生成貯留部に供給される原水の供給量を制御し、
前記第１原水供給系から供給される原水の温度が設定温度より高い場合には、前記第１、前記第２原水供給系のそれぞれから供給される原水を混合してオゾン水生成用の原水を生成して前記オゾン水生成貯留部に貯留し、前記第１原水供給系から供給される原水の温度が設定温度より低い場合には、前記第２原水供給系からの原水の供給は行わないことを特徴とするオゾン水消毒機。
【請求項２】
前記温度制御部は、前記オゾン水の温度を、０℃から３０℃までの範囲内の値に制御可能である請求項１に記載のオゾン水消毒機。
【請求項３】
前記温度制御部は、前記オゾン水の温度を２０℃以下に制御可能である請求項２に記載のオゾン水消毒機。
【請求項４】
前記消毒槽内での前記オゾン水による消毒処理の処理時間を、１分間から３０分間までの範囲内の値に制御可能な時間制御部を有している請求項１に記載のオゾン水消毒機。
【請求項５】
前記濃度制御部および前記時間制御部によってそれぞれ制御される前記オゾン濃度と前記処理時間との積が、２ｐｐｍ・ｍｉｎから２０ｐｐｍ・ｍｉｎまでの範囲内の値である請求項４に記載のオゾン水消毒機。
【請求項６】
前記消毒対象物は内視鏡である請求項１ないし５のうちのいずれか一つの項に記載のオゾン水消毒機。
【発明の詳細な説明】
【技術分野】
【０００１】
本発明は、外部から供給される供給水を原水として用いてオゾン水を生成し、生成したオゾン水を用いて、消毒槽内において消毒対象物の消毒処理を行うオゾン水消毒機に関する。さらに詳しくは、この種のオゾン水消毒機を用いて、結核菌等で汚染された内視鏡等の医療機器類を消毒するのに適したオゾン水消毒方法に関する。
【背景技術】
【０００２】
オゾン水消毒機としては、特許文献１に開示されているように、内視鏡を消毒する内視鏡殺菌装置が知られている。内視鏡殺菌装置では、殺菌槽（消毒槽）内に水道水を原水として供給し、殺菌槽に溜めた原水にオゾンガスを注入して、殺菌槽内においてオゾン水を生成している。オゾン水のオゾン濃度が所定濃度に達した後は、殺菌槽内においてオゾン水を循環させながら殺菌槽内に配置した殺菌対象の内視鏡をオゾン水で殺菌処理している。殺菌処理後は殺菌槽内のオゾン水を、オゾン分解器を通してオゾンを除去した後に排出している。
【先行技術文献】
【特許文献】
【０００３】
【特許文献１】特開２０１４−３３７９４号公報
【発明の概要】
【発明が解決しようとする課題】
【０００４】
従来における内視鏡殺菌装置等のオゾン水消毒機においては、一般的に、オゾン水濃度を０．５ｐｐｍ程度の一定濃度に維持した状態で、５分間程度の一定の処理時間で消毒処理を行っている。また、オゾン水生成用の原水として水道水がそのまま用いられるので、水道水と略同一の温度のオゾン水が生成され、消毒に用いられている。
【０００５】
内視鏡等の医療機器類の消毒においては、高水準消毒と呼ばれる結核菌を死滅させることの可能な高い消毒効果が要求される場合がある。しかしながら、従来においては、オゾン水消毒機を用いた高水準消毒については提案されていない。
【０００６】
オゾン水消毒機において、生成されるオゾン水のオゾン濃度を高めるためには、消毒槽に貯留した原水に対するオゾンガスの注入時間を長くする必要がある。特に、原水の温度が高い場合には、オゾンの溶解率が低下するので、所望のオゾン濃度が得られるまでに長時間を要する。例えば、夏場には原水として使用している水道水の温度が高いことが多く、オゾンの溶解速度が低下し、オゾン濃度を上げるために長時間を要する。この結果、１回の消毒処理のための所要時間が長くなり、作業効率が大幅に低下する。
【０００７】
本発明の課題は、このような点に鑑みて、オゾン水消毒機により、一般的に使用される通常のオゾン濃度から高水準消毒が可能な高オゾン濃度までのオゾン水を用いて、効率良く消毒処理を行うことのできるオゾン水消毒方法を提案することにある。
【０００８】
また、本発明の課題は、通常のオゾン濃度から高水準消毒が可能な高オゾン濃度までのオゾン水を用いて、効率良く消毒処理を行うことのできるオゾン水消毒機を提供することにある。
【課題を解決するための手段】
【００１８】
本発明は、外部から供給される供給水を原水として用いてオゾン水を生成し、生成したオゾン水を用いて、消毒槽内において消毒対象物の消毒処理を行うオゾン水消毒機において、前記オゾン水のオゾン濃度を、０．３ｐｐｍから５ｐｐｍまでの範囲内の値に制御可能な濃度制御部と、前記オゾン水の温度を制御可能な温度制御部と、オゾンガスを生成するオゾンガス生成部と、前記消毒槽に供給されるオゾン水を生成して貯留するオゾン水生成貯留部と、を有しており、前記濃度制御部は、前記オゾンガス生成部から、前記オゾン水生成貯留部および前記消毒槽に供給されるオゾンガスの供給量を制御し、前記オゾン水生成貯留部に対して、外部から原水を供給する第１原水供給系と、前記オゾン水生成貯留部に対して、貯水タンクに貯留されている所定温度に制御された原水を供給する第２原水供給系と、を有しており、前記温度制御部は、前記第１、前記第２原水供給系のそれぞれから前記オゾン水生成貯留部に供給される原水の供給量を制御し、前記第１原水供給系から供給される原水の温度が設定温度より高い場合には、前記第１、前記第２原水供給系のそれぞれから供給される原水を混合してオゾン水生成用の原水を生成して前記オゾン水生成貯留部に貯留し、前記第１原水供給系から供給される原水の温度が設定温度より低い場合には、前記第２原水供給系からの原水の供給は行わないことを特徴としている。本発明では、結核菌を確実に死滅させることのできる３ｐｐｍ程度以上の濃度範囲を包含するオゾン濃度のオゾン水を使用する。また、オゾン水の温度を所定の温度以下に制御する。したがって、夏場等において原水として用いる水道水の温度が高い場合に、当該水道水を例えば２０℃或いは、それ以下の温度に下げることができる。この結果、高濃度のオゾン水を、長時間を要することなく生成できる。よって、結核菌等が付着した内視鏡等の医療機器類の高水準消毒を、処理時間を大幅に長くすることなく、効率良く行うことが可能になる。また、オゾンガス生成部からオゾン水生成貯留部にオゾンガスを供給することにより、所望濃度のオゾン水を必要量だけ予め生成しておくことができる。したがって、消毒槽内においてオゾン水を生成する場合のように、消毒時間にオゾン水生成時間が含まれる場合に比べて、１回の消毒時間を短縮することができ、オゾン水消毒機の作業効率を向上できる。さらに、前記温度制御部は、前記第１、第２原水供給系のそれぞれから前記オゾン水生成貯留部に供給される原水の供給量を制御することで、オゾン水生成貯留部の貯水タンク内に生成されるオゾン水の温度を制御することができる。また、温度が制御された原水が、温度制御されずに直接にオゾン水生成貯留部に供給される原水に加えられる。これにより、オゾン水生成貯留部において生成されるオゾン水の温度制御に必要な時間の短縮化を図ることができる。また、温度管理を行っていない一般的なオゾン水消毒機に比べて、温度制御を短時間で廉価に行うことができる。
【００１９】
前記温度制御部は、前記オゾン水の温度を、０℃から３０℃までの範囲内の値に制御可能とすればよい。０℃を下回る温度では原水が凍結するので好ましくない。３０℃を超える温度では、高濃度のオゾン水を生成するために長時間を要し、また、３０℃を超えるオゾン水を用いる場合には消毒対象物に材料劣化が生じるおそれがあるので、好ましくない。特に、前記温度制御部は、前記オゾン水の温度を２０℃以下に制御することが望ましい。これにより、オゾン水に晒される消毒対象物の材料劣化を抑制できる。
【００２０】
本発明のオゾン水消毒機は、前記消毒槽内での前記オゾン水による消毒処理の処理時間を、１分から３０分までの範囲内の値に調節可能な時間制御部を有していることが望ましい。オゾン水のオゾン濃度と消毒処理の処理時間との適切な組み合わせを採用することにより、消毒対象物のそれぞれに適した形態（濃度、温度、時間）で消毒処理を行うことができる。
【００２１】
この場合、前記濃度制御部および前記時間制御部によってそれぞれ制御される前記オゾン濃度と前記処理時間との積が、２ｐｐｍ・ｍｉｎから２０ｐｐｍ・ｍｉｎまでの範囲内の値であることが望ましい。このようにして、オゾン濃度と処理時間の組み合わせを設定することにより、結核菌から一般の雑菌までの広範囲の消毒を適切に行うことができ、また、消毒時間の短縮化も図ることができる。例えば、結核菌を死滅させるためには、オゾン水濃度を３ｐｐｍとした場合には、処理時間を５分間に設定すればよい。
【図面の簡単な説明】
【００２６】
【図１】本発明を適用したオゾン水内視鏡消毒機の正面側の外観斜視図および背面側の外観斜視図である。
【図２】図１のオゾン水内視鏡消毒機の概略構成図である。
【発明を実施するための形態】
【００２７】
以下に、図面を参照して、本発明の実施の形態を説明する。なお、以下の実施の形態は本発明のオゾン水消毒機を内視鏡を消毒するためのオゾン水内視鏡消毒機に適用したものである。本発明のオゾン水消毒機は内視鏡の消毒に限定されるものではなく、他の医療機器類、その他の器具の消毒にも適用可能なことは勿論である。
【００２８】
図１（ａ）は本実施の形態に係るオゾン水内視鏡消毒機を示す正面側の外観斜視図であり、図１（ｂ）はその背面側の外観斜視図である。なお、図１（ｂ）においては、オゾン水内視鏡消毒機に外付けされている冷水ユニットおよびオゾン分解器の表示を省略してある。オゾン水内視鏡消毒機では、オゾン水を満たした消毒槽の内部に、消毒対象物である
内視鏡を浸漬し、消毒槽内においてオゾン水を循環させると共に、オゾン水を内視鏡の内部を通して流すことにより、内視鏡の洗浄・消毒が行なわれる。
【００２９】
図１を参照して説明すると、オゾン水内視鏡消毒機１は、例えば、全体として縦長の直方体形状の外装ケース２を備えている。外装ケース２の上面には、後端縁を中心として上方に開けることのできる蓋３が取り付けられている。蓋３を開けると、外装ケース２の内部に配置されている消毒槽４が上方に開口し、消毒対象物である内視鏡５を、上方から消毒槽４に挿入して設置することが可能である。外装ケース２における消毒槽４の前面部分は透明な窓６となっており、前方から窓６を通して、消毒槽４内の状態を目視可能となっている。
【００３０】
外装ケース２の上面における蓋３の後側の部分には、操作入力・表示部としてのタッチパネル７が配置されている。タッチパネル７は、タッチパネル操作盤と状態表示用の液晶表示盤を兼用している。タッチパネル７に表示された作業内容にタッチすることにより、消毒等の処理が実行され、液晶表示盤には現在の作業の進行状態等が表示される。タッチパネル７の側方には、消毒処理中に水が正常に流れているか否かを、目視により確認するための水流確認窓８が配置されている。
【００３１】
外装ケース２の背面の上側中央の部位には、電源スイッチ１１および電源インレット１２が並列配置されている。背面の上側部分における一方の端側の部位には、オゾン水生成のための原水として用いる水道水を供給するための給水口１４が配置されている。給水口１４の下側には冷水供給口１５が配置されている。冷水供給口１５には、オゾン水生成用の原水の水温調整のために用いる冷水が、冷水ユニット１６から供給される。冷水ユニット１６は水道水を冷却して冷水を生成して、その内部に貯留する。
【００３２】
外装ケース２の背面における他方の端側の部位には、オゾン生成のための酸素が供給される酸素供給口１７が配置されている。酸素供給口１７には、酸素ボンベ（図２参照）あるいは、病院内等においては院内酸素配管から酸素が供給される。背面の下方の側の部分には、消毒処理に使用した後のオゾン水を排出するための排水口１８が配置されている。消毒処理終了後に排水口１８から排出されるオゾン水はオゾン分解器１９を介して排出される。また、外装ケース２の背面における排水口とは反対側の部位には、排気口２０が形成されており、消毒槽４から出るオゾンガスが内蔵のオゾン分解ユニット（図２参照）を介して分解されて酸素ガスとなって排出される。
【００３３】
図２は、オゾン水内視鏡消毒機１を中心に構成されるオゾン水内視鏡消毒システムの概略構成図である。オゾン水内視鏡消毒機１の内部には、内視鏡５の洗浄・消毒を行う消毒槽４が配置されている。消毒槽４には、オゾン水生成ユニット２１（オゾン水生成貯留部）からオゾン水２２が供給される。例えば、２０リットルの所定濃度のオゾン水が供給される。
【００３４】
オゾン水生成用の原水には、外部から供給される供給水、通常は水道水２３が用いられる。水道水２３は、給水口１４からフィルタ２４および開閉弁２５を介してオゾン水生成ユニット２１のオゾン水生成タンク２１ａに供給される（第１原水供給系）。給水経路には、水道水２３の温度を検出するための水温計２７が取り付けられている。
【００３５】
また、水道水２３は冷水ユニット１６に供給され、予め設定されている設定温度、例えば２０℃よりも低温、例えば５℃の冷水２８に冷却されて冷水ユニット１６に貯留される。冷水ユニット１６からは、必要に応じて開閉弁２９を介して、冷水２８がオゾン水生成タンク２１ａに供給可能である（第２原水供給系）。
【００３６】
オゾン水生成タンク２１ａにおいては、水道水２３が設定温度よりも高い場合には、冷水ユニット１６から冷水２８が供給され、水道水２３と冷水２８が混合して、設定温度のオゾン水生成用の原水が生成され、貯留される。水道水２３が設定温度よりも低い場合には冷水２８の供給は行われない。これにより、２０℃あるいはそれよりも低い温度のオゾン水生成用の原水がオゾン水生成タンク２１ａ内において生成される。
【００３７】
なお、本例では、消毒槽４内に供給されたオゾン水２２の温度を直接には制御していない。一般的に、オゾン水内視鏡消毒機１は院内等の環境温度が一定に保持される場所で使用される場合が殆どであり、消毒槽４に供給されたオゾン水温度が大幅に変動する可能性が極めて低い。よって、原水の温度を管理すれば、実質的に消毒槽４内のオゾン水温度を管理できる。勿論、消毒槽４内において、直接に、水温計等によってオゾン水温度を検出して、温度制御を行うようにすることも可能である。
【００３８】
一方、オゾン水生成用のオゾンガス３１は、オゾナイザ３２によって生成されて、オゾン水生成ユニット２１のオゾン水生成タンク２１ａに供給される。オゾナイザ３２は、外部の酸素供給源である酸素ボンベ３３から酸素供給口１７を介して供給される酸素からオゾンガスを生成する。
【００３９】
オゾン水生成ユニット２１のオゾン水生成タンク２１ａは、消毒槽４と略同程度の容量、例えば２０リットルのタンクである。オゾン水生成タンク２１ａに、設定温度の原水が溜まった後に、オゾナイザ３２からオゾンガス３１が注入される。これにより、原水にオゾンが溶け込み、所定濃度のオゾン水２２が生成される。
【００４０】
オゾン水生成タンク２１ａ内へのオゾンガス３１の注入量（注入時間）を制御することにより、オゾン水生成タンク２１ａ内のオゾン水２２のオゾン濃度が所定濃度となるように制御できる。
【００４１】
オゾン水生成タンク２１ａ内に設定濃度のオゾン水２２が生成されると、オゾン水２２は、オゾン水供給管３４および供給ポンプ３５を介して、消毒槽４に供給される。消毒槽４内には、予め、消毒対象物である内視鏡５が消毒槽４内のオゾン水２２に浸漬可能な状態にセットされる。
【００４２】
消毒処理においては、循環用配管３６および循環ポンプ３７を介して、消毒槽４内のオゾン水２２を循環させながら、内視鏡５の消毒を行う。なお、図示は省略してあるが、内視鏡５の内部にオゾン水２２を通すために、内視鏡５の送気送水口、鉗子口にチューブを接続し、これらのチューブを介して内視鏡５の内部を通してオゾン水が流れる。
【００４３】
消毒槽４を循環するオゾン水の濃度は、循環用配管３６に取り付けたオゾン水濃度計３８によって測定される。測定されたオゾン水２２の濃度が設定濃度よりも低い場合には、オゾナイザ３２から、オゾンガス供給用分岐管３９を介して、オゾンガス３１が供給される。これにより、オゾン水２２のオゾン濃度が設定濃度に維持される。また、消毒処理中において消毒槽４から排出されるオゾンガスは、オゾン分解ユニット４１を介して分解されて、酸素ガスとなって排気口２０から外部に排出される。
【００４４】
消毒処理が終了した後は、消毒槽４のオゾン水２２は、排水管４２およびオゾン分解器１９を介して所定の排水配管４３に排出可能となっている。オゾン分解器１９は、活性炭等のオゾン分解物が充填されており、排出されるオゾン水に含まれているオゾンを分解する。
【００４５】
ここで、冷水ユニット１６は、本例では、オゾン水内視鏡消毒機１に外付けされるユニ
ットであり、必要に応じて接続して使用可能である。冷水ユニット１６をオゾン水内視鏡消毒機１の内部に組み込むことも可能である。冷水ユニット１６は冷水タンク６１を備え、ここには、オゾン水生成用の原水として、水道水２３が給水管６２およびフィルタ６３を介して供給される。冷水タンク６１に貯留した原水を、循環ポンプ６４によって、チラー６５を介して循環させることにより、設定温度よりも低温、例えば５℃の冷水２８が冷水タンク６１内に得られる。
【００４６】
冷水ユニット１６は制御部６６を備えている。制御部６６は消毒機制御ユニット５０と連動して動作する。制御部６６は、冷水タンク６１に取り付けた液面センサ６７に基づき貯留水量を一定に制御可能である。また、冷水タンク６１に取り付けた水温計６８の測定値に基づき、冷水タンク６１内の冷水２８の水温を所定の温度、例えば５℃に制御可能である。冷水タンク６１は、オゾン水生成タンク２１ａに比べて小容量のタンクであり、例えば、１０リットルである。
【００４７】
上記構成のオゾン水内視鏡消毒機１の各部の駆動制御は、消毒機制御ユニット５０により行われる。例えば、消毒機制御ユニット５０はマイクロコンピュータを中心に構成されており、予めインストールされているプログラムを実行することにより、各部を駆動制御して、各種の動作を行わせる。
【００４８】
消毒機制御ユニット５０は、デフォルト値あるいはタッチパネル７からの設定入力に基づき、消毒槽４内のオゾン水２２の濃度を設定濃度に制御する濃度制御部５０ａ、消毒槽４に供給されるオゾン水生成タンク２１ａ内のオゾン水２２を設定温度に制御（調整）する温度制御部５０ｂ、および、消毒槽４内でのオゾン水２２による消毒処理の処理時間を設定時間に制御する時間制御部５０ｃとして機能する。
【００４９】
（動作モード例）
上記構成のオゾン水内視鏡消毒機１を高水準消毒機として用いて結核菌を消毒できるようにする場合には、消毒機制御ユニット５０の制御の下に、例えば、次の動作モードによって各部が動作する。
【００５０】
例えば、消毒条件は、結核菌を消毒できるように、オゾン水濃度が３ｐｐｍ、処理時間が５分とされる。また、水温は２０℃以下に制御される。オゾン水内視鏡消毒機１に取り付けられている冷水ユニット１６は、例えば、電源スイッチ１１がオンされると、冷水生成動作を開始して、冷水タンク６１に例えば５℃の冷水を溜める。
【００５１】
消毒機制御ユニット５０は、オゾン水生成用の原水として、温度制御されていない水道水２３を、直接に、フィルタ２４を介して、オゾン水生成ユニット２１のオゾン水生成タンク２１ａに取り込む動作を開始する。また、給水経路に配置した水温計２７による検出水温に基づき、オゾン水生成タンク２１ａ内の水温が２０℃以下となるように制御する。例えば、水道水２３の温度が２０℃よりも高い場合には、冷水ユニット１６から５℃に制御されている冷水２８を取り込み、オゾン水生成タンク２１ａ内の水温を２０℃となるように制御する。
【００５２】
オゾン水生成タンク２１ａ内に所定量の原水２３（水道水）が溜まった時点から、オゾナイザ３２によって生成されるオゾンガス３１をオゾン水生成タンク２１ａ内に取り込み、オゾン水生成タンク２１ａ内においてオゾン水２２の生成動作を行う。オゾンガス３１の注入量（注入時間）を制御することにより、オゾン水生成タンク２１ａ内のオゾン水２２の濃度を、設定濃度である３ｐｐｍ前後となるように制御することができる。
【００５３】
この後は、消毒機制御ユニット５０は、オゾン水生成タンク２１ａに貯留されているオ
ゾン水２２を消毒槽４に供給する。消毒槽４の側においては、循環ポンプ３７を駆動してオゾン水２２の循環を開始する。オゾン水濃度計３８によって計測されるオゾン水濃度が３ｐｐｍ未満の場合には、オゾナイザ３２からオゾンガス３１を消毒槽４に導入して、オゾン濃度を、設定濃度となるように調整する。オゾン濃度が３ｐｐｍに達した後は、内視鏡５の消毒処理を開始する。
【００５４】
内蔵タイマ等によって消毒時間５分が経過したことが検出されると、消毒処理を終了して、オゾン水２２を消毒槽４から排出する排出動作を行う。
【００５５】
なお、消毒条件として、３ｐｐｍよりも低いオゾン濃度が設定され、オゾン水温度として２０℃よりも低い温度が設定された場合には、設定濃度、設定温度のオゾン水２２がオゾン水生成タンク２１ａにおいて生成されるように、消毒機制御ユニット５０は動作制御を行う。
【００５６】
また、消毒条件として、オゾン濃度が低い場合にはオゾン水の温度制御を行わない運転モードで消毒処理を行うことができる。例えば、オゾン濃度が０．５ｐｐｍ、消毒時間が５分の場合には温度制御を行わない。この場合には、オゾン水内視鏡消毒機１に冷水ユニット１６を取り付けないで、オゾン水内視鏡消毒機１を運転する。あるいは、冷水ユニット１６が取り付けられている場合には、冷水ユニット１６からの冷水の供給を行わずに（第２原水供給系から給水せずに）、オゾン水内視鏡消毒機１を運転すればよい。
【００５７】
以上説明したように、オゾン水内視鏡消毒機１は濃度制御部５０ａを備え、消毒に用いるオゾン水のオゾン濃度を、結核菌を確実に死滅させることのできる高水準消毒に必要な３ｐｐｍに高めることができる。
【００５８】
また、オゾン水の温度制御部５０ｂを備えているので、夏場等において原水として用いる水道水２３の温度が高い場合に、水道水２３を例えば２０℃に下げることができる。この結果、高水準消毒に必要な高濃度のオゾン水を、高い温度の水道水を用いて生成する場合に比べて、短時間で生成できる。よって、内視鏡等の医療機器類の高水準消毒を、処理時間を大幅に長くすることなく、効率良く行うことが可能になる。
【００５９】
さらに、温度制御部５０ｂは、オゾン水の温度を２０℃に制御している。これにより、高温のオゾン水に晒される消毒対象物が材料劣化するという弊害を、防止あるいは抑制できる。
【００６０】
これに加えて、消毒に用いる所定濃度および所定温度のオゾン水を、予め、オゾン水生成タンク２１ａ内において生成している。消毒槽４内において直接に所定濃度のオゾン水２２を生成する場合に比べて、オゾン水生成のための時間分だけ、消毒時間を短縮化できる。
【００６１】
また、冷水ユニット１６において、予め、冷水タンク６１内に冷水２８を貯留するようにしている。冷水２８を、オゾン水生成タンク２１ａ内において、温度制御されていない水道水２３と混合することにより、生成されるオゾン水２２の温度を設定水温となるように制御している。予め温度制御された冷水２８を用いることにより、生成されるオゾン水２２の温度制御を、廉価な構成により短時間で効率良く行うことができる。
【００６２】
ここで、オゾン水の濃度と消毒処理の時間との適切な組み合わせを採用することにより、消毒対象物のそれぞれに適した形態（濃度、温度、時間）で消毒処理を行うことができる。内視鏡等の医療機器類の場合には、オゾン水濃度を、０．３ｐｐｍから５ｐｐｍまでの範囲内の値とし、処理時間を、１分から３０分までの範囲内の値とすればよい。
【００６３】
この場合、オゾン濃度と処理時間との積が殺菌効果に対応するので、これらの積が、２ｐｐｍ・ｍｉｎから２０ｐｐｍ・ｍｉｎまでの範囲内の値となるようにすることが望ましい。この範囲内の値となるように、オゾン濃度と処理時間の組み合わせを設定することにより、結核菌から一般の細菌までの広範囲の消毒を適切に行うことができ、また、消毒時間の短縮化も図ることができる。
【００６４】
また、オゾン水の温度は、０℃から３０℃までの範囲内の値にすることが望ましい。０℃を下回る温度では原水が凍結するので好ましくない。３０℃を超える程の温度では、高濃度のオゾン水を生成するために長時間を要し、また、高温で高濃度のオゾン水を用いる場合には消毒対象物に材料劣化が生じるおそれもあるからである。
【００６５】
なお、上記の実施の形態では、オゾン水生成ユニット２１のオゾン水生成タンク２１ａ内において生成されるオゾン濃度を、オゾンガスの注入量（注入時間）によって管理している。オゾン水生成タンク２１ａ内において生成されるオゾン水２２のオゾン濃度を直接に検出し、これに基づきオゾン濃度を制御してもよいことは勿論である。
【００６６】
また、上記の実施の形態では、オゾン水生成タンク２１ａ内のオゾン水の温度を制御しているが、消毒槽４内に供給されたオゾン水の温度を直接には制御していない。一般的に、オゾン水内視鏡消毒機１は院内等の環境温度が一定に保持される場所で使用される場合が殆どであり、消毒槽４に供給されたオゾン水温度が大幅に変動する可能性が極めて低い。よって、オゾン水生成タンク２１ａに置いて生成されるオゾン水温度を管理すれば、実質的に消毒槽４内のオゾン水温度を管理できる。勿論、消毒槽４内において直接に水温計等によってオゾン水温度を検出して、温度制御を行うようにすることも可能である。
【符号の説明】
【００６７】
１  オゾン水内視鏡消毒機、２  外装ケース、３  蓋、４  消毒槽、５  内視鏡、６  窓、７  タッチパネル、８  水流確認窓、１１  電源スイッチ、１２  電源インレット、１４  給水口、１５  冷水供給口、１６  冷水ユニット、１７  酸素供給口、１８  排水口、１９  オゾン分解器、２０  排気口、２１  オゾン水生成ユニット、２１ａ  オゾン水生成タンク、２２  オゾン水、２３  水道水、２４  フィルタ、２５  開閉弁、２７  水温計、２８  冷水、３１  オゾンガス、３２  オゾナイザ、３３  酸素ボンベ、３４  オゾン水供給管、３５  供給ポンプ、３６  循環用配管、３７  循環ポンプ、３８  オゾン水濃度計、３９  オゾンガス供給用分岐管、４１  オゾン分解ユニット、４３  排水配管、５０  消毒機制御ユニット、５０ａ  濃度制御部、５０ｂ  温度制御部、５０ｃ  時間制御部、６１  冷水タンク、６２  給水管、６３  フィルタ、６４  循環ポンプ、６５  チラー、６６  制御部、６７  液面センサ、６８  水温計
【図１】
0006479459.tif 000002
【図２】
0006479459.tif 000003